(57)【要約】【課題】挿入された光ディスクを迅速に識別することが可能なディスク装置を提供すること。【解決手段】ディスク装置１００は、挿入された光ディスク１０１を所定位置へ搬送する搬送ローラ１１２を有する搬送部と、光ディスク１０１が搬送部により搬送されている状態で、光ディスクの非データ面に付された二次元バーコード１０２を撮像する撮像部１１４と、撮像部１１４により撮像された二次元バーコード１０２を復号し、復号情報に基づいた情報をディスク関連情報として、外部表示部１１０へ出力する制御部１０６とを備える。【選択図】図１
2007213679.tif 000002
【特許請求の範囲】
【請求項１】
挿入された光ディスクを所定位置へ搬送する搬送部と、
前記光ディスクが前記搬送部により搬送されている状態で、前記光ディスクの非データ面に付された符号情報を読み取る符号情報読取部と、
前記符号情報読取部により読み取られた符号情報を復号し、復号情報を出力する復号部と、
前記復号情報に基づいた情報をディスク関連情報として出力するディスク関連情報出力部と、
を備えるディスク装置。
【請求項２】
請求項１に記載のディスク装置であって、
前記復号情報に対応した復号関連情報を記憶する復号関連情報記憶部を更に備え、
前記ディスク関連情報出力部は、前記復号関連情報記憶部から、前記復号部から出力された復号情報に対応する復号関連情報を読み出して、前記ディスク関連情報として出力するディスク装置。
【請求項３】
請求項１又は２に記載のディスク装置であって、
外部記憶装置と接続する外部記憶装置接続部を更に有し、
前記ディスク関連情報出力部は、記外部記憶装置から、前記復号部から出力された復号情報に対応した情報を、前記外部接続部を介して読み出して、前記ディスク関連情報として出力するディスク装置。
【請求項４】
請求項１ないし３のいずれか一項に記載のディスク装置であって、
前記搬送部は、前記符号読取部により前記符号情報が読み取られない場合、前記光ディスクの搬送を停止するディスク装置。
【請求項５】
請求項１ないし４のいずれか一項に記載のディスク装置であって、
前記光ディスクが前記搬送部により搬送されている状態で、前記光ディスクの面を撮像する撮像部を更に備えるディスク装置。
【請求項６】
請求項５に記載のディスク装置であって、
前記ディスク関連情報出力部は、前記撮像部により撮像された画像を前記ディスク関連情報として出力する表示部を有するディスク装置。
【請求項７】
請求項６に記載のディスク装置であって、
前記符号読取部により前記符号情報が読み取られない場合、前記ディスク関連情報出力部は、前記撮像された画像及び警告情報を前記表示部に表示するディスク装置。
【請求項８】
請求項５ないし７のいずれか一項に記載のディスク装置であって、
前記符号情報読取部は、前記撮像部により撮像された画像から前記符号情報を読み取るディスク装置。
【請求項９】
請求項５ないし８のいずれか一項に記載のディスク装置であって、
前記符号情報読取部は、位置検出パターンを有した二次元バーコードを、前記符号情報として読み取る二次元バーコード読取器を有するディスク装置。
【請求項１０】
請求項９に記載のディスク装置であって、
前記ディスク関連情報出力部は、前記符号情報読取部により読み取られた二次元バーコードの位置検出パターンに基づいて前記撮像部により撮像された画像の向きを補正する補正部と、前記補正した画像を前記ディスク関連情報として出力する表示部とを有するディスク装置。
【請求項１１】
請求項５ないし１０のいずれか一項に記載のディスク装置であって、
前記撮像部は、所定の位置に固定され、前記光ディスクの面を線状に読み取るリニアイメージセンサを含むスキャナを有するディスク装置。
【請求項１２】
請求項５ないし１０のいずれか一項に記載のディスク装置であって、
前記撮像部は、並べられた複数のカメラを有するディスク装置。
【請求項１３】
請求項１ないし１２のいずれか一項に記載のディスク装置であって、
前記符号情報読取部は、前記光ディスクに、非可視光線を照射して前記符号情報を読み取るディスク装置。
【請求項１４】
請求項１ないし７のいずれか一項に記載のディスク装置であって、
前記符号情報読取部は、前記符号情報を、前記光ディスクの非データ面に付された記憶媒体から、無線通信を用いて読み取る無線部を有するディスク装置。
【請求項１５】
請求項１ないし１４のいずれか一項に記載のディスク装置であって、
前記ディスク関連情報出力部は、前記ディスク関連情報に含まれる音声情報を出力する音声出力部を有するディスク装置。
【発明の詳細な説明】
【技術分野】
【０００１】
本発明は、ディスク再生装置等に挿入された光ディスクを識別するディスク装置に関する。
【背景技術】
【０００２】
音楽や映像を再生可能なディスク再生装置に挿入される光ディスクは、挿入された光ディスクがディスク装置の所定位置にディスクが搬送されて光ディスクが保持され回転し、光ピックアップが光ディスクに記録された情報データを読み取ることで光ディスクに記録された音楽や映像などを再生している（例えば、特許文献１参照）。
【０００３】
また、光ディスクのラベル面の穴周辺にディスクの情報をバーコード化して印刷し、ディスクが回転することで光ディスク情報を読み取ることができるディスク情報記録、読み取り方法がある（例えば、特許文献２参照）。
【０００４】
【特許文献１】特開２００４−２２０５１号公報
【特許文献２】特開平２−８３８８０号公報
【発明の開示】
【発明が解決しようとする課題】
【０００５】
しかしながら、上記の方法にあっては、光ディスクが搬送後、所定位置に保持されて回転してからはじめて光ディスクの情報を得ることができるため、情報入手までに時間がかかり、使用者が再生したい光ディスクであるかどうかをすぐに確認することができないという事情がある。
【０００６】
本発明は、上記の事情に鑑みてなされたものであって、挿入された光ディスクを迅速に識別することが可能なディスク装置を提供することを目的とする。
【課題を解決するための手段】
【０００７】
本発明は、第１に、挿入された光ディスクを所定位置へ搬送する搬送部と、前記光ディスクが前記搬送部により搬送されている状態で、前記光ディスクの非データ面に付された符号情報を読み取る符号情報読取部と、前記符号情報読取部により読み取られた符号情報を復号し、復号情報を出力する復号部と、前記復号情報に基づいた情報をディスク関連情報として出力するディスク関連情報出力部とを備えるディスク装置が提供されるものである。
【０００８】
この構成により、光ディスクを所定位置へ搬送されている状態で、光ディスクに付された符号情報を読み取って復号化して出力することから、光ディスクが再生用に所定位置に保持される前の早いタイミングでディスク関連情報が取得できるので、挿入されたディスクの情報を早い段階で得られる。
【０００９】
本発明は、第２に、上記第１に記載のディスク装置であって、前記復号情報に対応した復号関連情報を記憶する復号関連情報記憶部を更に備え、前記ディスク関連情報出力部は、前記復号関連情報記憶部から、前記復号部から出力された復号情報に対応する復号関連情報を読み出して、前記ディスク関連情報として出力するものである。
【００１０】
この構成により、復号情報に対応して復号関連情報を記憶しているので、光ディスクに付された符号情報と関連した、より多くのディスク関連情報が取得できる。
【００１１】
本発明は、第３に、上記第１又は第２に記載のディスク装置であって、外部記憶装置と接続する外部記憶装置接続部を更に有し、前記ディスク関連情報出力部は、記外部記憶装置から、前記復号部から出力された復号情報に対応した情報を、前記外部接続部を介して読み出して、前記ディスク関連情報として出力するものである。
【００１２】
この構成により、外部記憶装置の情報を更新することで、常に最新のディスク関連情報を得ることができる。また、情報提供者が、任意の情報を外部記憶装置に記録する情報として記憶させることができるので、光ディスクに関連した最新情報や宣伝情報を光ディスク使用者に知らせることにより、効果的な宣伝活動を行うことができる。
【００１３】
本発明は、第４に、上記第１ないし第３のいずれかに記載のディスク装置であって、前記搬送部は、前記符号読取部により前記符号情報が読み取られない場合、前記光ディスクの搬送を停止するものである。
【００１４】
この構成により、符号情報が読み取られない場合は、光ディスクが表裏を誤って挿入されている可能性があるので、光ディスクの表裏を誤ったまま再生処理等へ進むことを防ぐことができる。
【００１５】
本発明は、第５に、上記第１ないし第４のいずれかに記載のディスク装置であって、前記光ディスクが前記搬送部により搬送されている状態で、前記光ディスクの面を撮像する撮像部を更に備えるものである。
【００１６】
この構成により、光ディスクを所定位置へ搬送されている状態で、光ディスクの面を撮像するので、光ディスクが再生用に所定位置に保持される前の早いタイミングで光ディスクの面の画像を取得することができる。
【００１７】
本発明は、第６に、上記第５に記載のディスク装置であって、前記ディスク関連情報出力部は、前記撮像部により撮像された画像を前記ディスク関連情報として出力する表示部を有するものである。
【００１８】
この構成により、撮像部により撮像された光ディスクの面の画像を表示することにより、使用者は、ディスクのレーベルを直感的に確認できるので、挿入されたディスクの情報をより確実に早い段階で認識することができる。
【００１９】
本発明は、第７に、上記第６に記載のディスク装置であって、前記符号読取部により前記符号情報が読み取られない場合、前記ディスク関連情報出力部は、前記撮像された画像及び警告情報を前記表示部に表示するものである。
【００２０】
この構成により、符号情報が読み取られない場合は、光ディスクが表裏を誤って挿入されている可能性があるが、警告情報と共に撮像された画像を表示するので、使用者は光ディスクが表裏を誤って挿入されているか否かを、光ディスクをディスク装置から取り出すことなく容易に確認することができる。
【００２１】
本発明は、第８に、上記第５ないし第７のいずれかに記載のディスク装置であって、前記符号情報読取部は、前記撮像部により撮像された画像から前記符号情報を読み取るものである。
【００２２】
この構成により、光ディスクに付される符号情報として、バーコード等の光学的に読み取り可能な符号情報を用いることができる。
【００２３】
本発明は、第９に、上記第５ないし第８のいずれかに記載のディスク装置であって、前記符号情報読取部は、位置検出パターンを有した二次元バーコードを、前記符号情報として読み取る二次元バーコード読取器を有するものである。
【００２４】
この構成により、読み取った符号情報である二次元バーコードに位置検出パターンが含まれているので、ディスクの挿入方向を問わず確実に符号情報を読み取ることができる。
【００２５】
本発明は、第１０に、上記第９に記載のディスク装置であって、前記ディスク関連情報出力部は、前記符号情報読取部により読み取られた二次元バーコードの位置検出パターンに基づいて前記撮像部により撮像された画像の向きを補正する補正部と、前記補正した画像を前記ディスク関連情報として出力する表示部とを有するものである。
【００２６】
この構成により、読み取った位置検出パターンにより画像の向きを補正して表示するので、使用者にとって表示内容を見やすく表示させることができる。
【００２７】
本発明は、第１１に、上記第５ないし第１０のいずれかに記載のディスク装置であって、前記撮像部は、所定の位置に固定され、前記光ディスクの面を線状に読み取るリニアイメージセンサを含むスキャナを有する。
【００２８】
この構成により、リニアイメージセンサを動かす必要はなく、ディスクを搬送中にディスク表面の画像を入手することができるので、撮像部の投影面積を小さくすることができ、撮像部を小型化できる。
【００２９】
本発明は、第１２に、上記第５ないし第１０のいずれかに記載のディスク装置であって、前記撮像部は、並べられた複数のカメラを有するものである。
【００３０】
この構成により、撮像部を構成するセンサーや鏡などの機構部品を少なくすることで撮像部の厚みを小さくすることができ、ディスク装置筐体を薄くすることができる。
【００３１】
本発明は、第１３に、上記第１ないし第１２のいずれかに記載のディスク装置であって、前記符号情報読取部は、前記光ディスクに、非可視光線を照射して前記符号情報を読み取るものである。
【００３２】
この構成により、符号データを、非可視光線を照射して読み取ることが可能な方式で人間に光ディスクの非データ面に印刷等により付すことで、視認できる光ディスク表面に印刷されたデザインを損なわずに符号情報を設けることができる。
【００３３】
本発明は、第１４に、上記第１ないし第７のいずれかに記載のディスク装置であって、前記符号情報読取部は、前記符号情報を、前記光ディスクの非データ面に付された記憶媒体から、無線通信を用いて読み取る無線部を有するものである。
【００３４】
この構成により、光ディスクが所定位置へ搬送されている状態で、光ディスク面からのＩＣタグ等の記憶媒体から送信された情報を受信することで、光ディスクが再生用に所定位置に保持される前の早いタイミングで光ディスク情報を取得できる。
【００３５】
本発明は、第１５に、上記第１ないし第１４のいずれかに記載のディスク装置であって、前記ディスク関連情報出力部は、前記ディスク関連情報に含まれる音声情報を出力する音声出力部を有するものである。
【００３６】
この構成により、光ディスクを所定位置へ搬送されている状態で得られる音声情報を出力するので、使用者は、光ディスクの再生前に、音声にてディスクの紹介案内等のディスク関連情報を聞くことができるなど、再生を開始するまでの時間を有効に活用できる。
【発明の効果】
【００３７】
本発明によれば、挿入された光ディスクを迅速に識別することが可能なディスク装置を提供することができる。
【発明を実施するための最良の形態】
【００３８】
以下、本発明の第１〜第４の実施形態について、図面を参照して説明する。なお、本実施形態では、ディスク装置が、光ディスクを再生する機能を備えたディスク再生装置に適用された場合について説明する。
【００３９】
（第１の実施形態）
はじめに、本発明の第１〜第３の実施形態のディスク装置に用いられる光ディスクについて説明する。図４は本発明の第１〜第３の実施形態に係るディスク装置に用いられる光ディスクの第一例を示す外観図であり、図４（Ａ）は光ディスクの非データ面、図４（Ｂ）は光ディスクのデータ面をそれぞれ示す。
【００４０】
図４（Ａ）及び図４（Ｂ）に示すように、光ディスク１０１は、データが記録されているデータ面１０１ａと、データ面１０１ａの反対側の面であるデータが記録されていない非データ面１０１ｂの二つの面を有する。
【００４１】
図４（Ｂ）において、データ面１０１ａの一部を拡大した拡大図Ｅ４Ｂに示すように、データ面１０１ａにはピット１０１ｃが設けられることによりデータが記録されている。ピット１０１ｃは、光ディスク１０１の内周側から外周側（または外周から内周）に向けてスパイラル状のトラックに記録されている。
【００４２】
光ディスク１０１に記録されたデータは、光ピックアップにより読み出される。光ピックアップは、光ディスク１０１のデータ面にレーザー光線を照射し、ピット１０１ｃにより反射された光を検出することにより、データを読み出す。
【００４３】
また、図４（Ａ）に示すように、光ディスク１０１の非データ面１０１ｂには、符号情報の一例として、二次元バーコード１０２が印刷されている。二次元バーコード１０２は、漢字や英数字などの文字やバイナリデータを符号化して圧縮することができ、漢字では約２０００文字程度まで記録できる。この二次元バーコードデータとして、例えば、簡単な画像や音楽ＣＤ−ＲＯＭなどの解説等、光ディスクに関連した関連情報を記録することができる。
【００４４】
図５は、二次元バーコードを説明する図であり、その一例として、ＱＲコード（登録商標）を示す。図５に示すように、二次元バーコード１０２は略正方形の形状を有し、その３隅に配置された切り出しシンボル１０２ａと、切り出しシンボル１０２ａ同士の間に配置されたタイミングパターン１０２ｂと、フォーマット情報１０２ｃと、データセル１０２ｄとを有する。
【００４５】
切り出しシンボル１０２ａは、二次元バーコード１０２の位置を検出するための位置検出パターンとして機能する。タイミングパターン１０２ｂは、切り出しシンボル１０２ａ内のモジュール座標を決定するのに使用される。二次元バーコード１０２を読み取る二次元バーコード読み取り器は、切り出しシンボル１０２ａ及びタイミングパターン１０２ｂより、二次元バーコード１０２の位置及び角度を認識する。
【００４６】
フォーマット情報１０２ｃは、使用されている誤り訂正率とマスクパターンに関する情報を有する。データセル１０２ｄには、データ及び誤り訂正符合が表示されている。
【００４７】
このように、本実施形態のディスク装置に用いられる光ディスク１０１の非データ面１０１ｂには二次元バーコード１０２が印刷されているので、二次元バーコード読取器を用いることにより、二次元バーコード１０２に書き込まれたディスク関連情報等を読み出すことができる。
【００４８】
次に、本実施形態に係るディスク装置について説明する。図１は本発明の第１の実施形態に係るディスク装置の内部構成を示す図であり、図２は本発明の第１の実施形態に係るディスク装置の機能構成を示すブロック図である。
【００４９】
図１及び図２に示すように、ディスク装置１００は、光ディスク１０１を挿入する挿入口１０３と、挿入検知センサ１０４と、搬送部１０５と、制御部１０６と、再生部１０７と、保持部１０８と、光ピックアップ１０９と、外部表示部１１０と、操作部１１１と、ディスク識別装置１２０とを有する構成である。また、ディスク１００には、外部出力スピーカ１１７が接続されている。なお、外部出力スピーカ１１７はディスク装置１００に内蔵されていてもよい。
【００５０】
ここで、ディスク識別装置１２０及び制御部１０６は、符号情報読取部の一例である二次元バーコード読取器の一例として機能する。また、制御部１０６は、復号部及びディスク情報出力部の一例として機能する。
【００５１】
挿入検知センサ１０４は、挿入口１０３から光ディスク１０１が挿入されたことを検知し、検知信号を制御部１０６に出力するものである。
【００５２】
搬送部１０５は、挿入口１０３から挿入された光ディスク１０１を、ディスク装置１００の内部まで搬送する搬送ローラー１１２を有する。光ディスク１０１を再生する際は、制御部１０６からの制御信号に従って、その光ディスク１０１をディスク装置１００内部の所定位置まで搬送する。ここで、所定位置とはディスク装置１００の内部にあって、搬送された光ディスク１０１が保持部１０８に保持される位置を言う。光ディスク１０１の取り出しが指示された場合、あるいは搬送中の光ディスク１０１が再生できないものと判断された場合、制御部１０６からの制御信号に従って、搬送ローラー１１２を逆転し、光ディスク１０１を挿入口１０３から排出する。
【００５３】
ディスク識別装置１２０は、照明部１１３と、撮像部１１４と、記憶部１１５と、読取部１１６とを有する。照明部１１３は、光ディスク１０１が搬送部１０５により搬送されている状態で、可視光線により光ディスク１０１の面を照らす。
【００５４】
撮像部１１４は、搬送されている状態の光ディスク１０１の面を撮像するものであり、光ディスク１０１が再生可能な向きで挿入されたとき、光ディスク１０１の非データ面１０１ｂを撮像する位置に設けられている。この撮像部１１４は、例えばスキャナであり、搬送される光ディスク１０１の表面を線状に読み取るため、所定の位置に固定され、光ディスク１０１の面を線状に読み取るリニアイメージセンサ１１４ａと、リニアイメージセンサ１１４ａに焦点を合わせるためのレンズ１１４ｂと、リニアイメージセンサ１１４ａまでの焦点距離を充分確保すると共に、識別装置１２０の薄型化のために設けられた鏡１１４ｃとを有する。
【００５５】
記憶部１１５は、撮像部１１４にて撮像した光ディスク１０１の面の画像を記憶するものである。
【００５６】
読取部１１６は、撮像部１１４により撮像された光ディスク１０１の表面の画像から、二次元バーコード１０２の有無の判断を行うと共に、二次元バーコード１０２を読み出して制御部１０６に出力する。操作部１１１は、停止、早送り、巻き戻し、取り出しなどの指示を入力するものである。
【００５７】
制御部１０６は、ディスク装置１００の全体の動作を制御するものであり、挿入検知センサ１０４からの光ディスク検出信号を受信すると、搬送部１０５に挿入された光ディスク１０１の搬送指示を出すと共に、撮像部１１４と照明部１１３の作動指示を出す。撮像部１１４から読み取った情報を元に読取部１１６から光ディスク再生可否を受信し、再生可能と判断すると、光ディスク１０１を保持部１０８が保持し、光ピックアップ１０９、再生部１０７が動作して光ディスク１０１を再生し、再生された情報が外部表示部１１０及び外部出力スピーカ１１７に出力される。
【００５８】
以上のように構成されたディスク識別装置を用いたディスク装置について、その動作について説明する。図３は、本発明の第１の実施形態に係るディスク装置の動作手順を示すフローチャートである。
【００５９】
まず、二次元バーコード１０２が印刷された光ディスク１０１がディスク挿入口１０３から挿入される（ステップＳ２０１）と、挿入検知センサ１０４は光ディスク１０１が挿入されたことを検知し、制御部１０６に挿入検知信号を出力する（ステップＳ２０２）。
【００６０】
制御部１０６が挿入検知センサ１０４から挿入検知信号を受信すると、搬送部１０５に対して、挿入された光ディスク１０１の搬送指示を送出し、搬送部１０５はその搬送指示に従って搬送ローラー１１２を動作させて、光ディスク１０１を搬送する（ステップＳ２０３）。
【００６１】
光ディスク１０１の搬送と同時に、制御部１０６は、ディスク識別装置１２０の動作をオンにして、照明部１１３及び撮像部１１４を動作させ、スキャナとして動作する撮像部１１４は、光ディスク１０１が搬送されている状態で光ディスク１０１の面の画像を線状に読み取って記憶部１１５に送信する（ステップＳ２０４）。これにより、光ディスク１０１が搬送されている状態で、光ディスク１０１の面を撮像するので、光ディスク１０１が再生用に所定位置に保持される前の早いタイミングで光ディスク１０１の面の画像を取得することができる。
【００６２】
記憶部１１５は、撮像部１１４から入手した線状画像を合成してディスク表面画像として記憶する（ステップＳ２０５）。
【００６３】
読取部１１６は、記憶部１１５で記憶されたディスク１０１のディスク表面画像から、二次元バーコード１０２の有無を識別する（ステップＳ２０６）。ここで、読取部１１６は、二次元バーコード１０２の有無により、撮像部１１４側のディスク面が非データ面１０１ｂと判断し、裏側が光ディスク１０１のデータ面１０１ａと識別する。
【００６４】
読取部１１６は、ディスク表面画像に二次元バーコード１０２が存在すると識別すると（ステップＳ２０６のＹＥＳ）、二次元バーコード１０２を読み取り、制御部１０６へ出力する（ステップＳ２０７）。そして、制御部１０６は、読み取られた二次元バーコード１０２の符号情報を復号してデータに変換し、ディスク関連情報として外部表示部１１０に表示する（ステップＳ２０８，Ｓ２０９）。なお、制御部１０６は、撮像部１０４により撮像された画像をディスク関連情報として外部表示部１１０に出力してもよい。
【００６５】
図６は、本発明の第１の実施形態に係るディスク装置の正面方向の外観及び外部表示部による表示例を示す図である。図６に示すように、外部表示部１１０には、ディスク関連情報として、二次元バーコード１０２の情報を復号した復号情報Ｄ６１と、光ディスク１０１の表面画像情報Ｄ６２とが表示されている。このように、復号情報Ｄ６１が表示されることにより、ディスク搬送中に識別されたデータをディスクが再生されるまでの待ち時間に表示できるので、挿入されたディスクに関連した情報を早い段階で取得することができる。また、表面画像情報Ｄ６２が表示されることにより、使用者は、ディスクのレーベルを直感的に確認できるので、挿入されたディスクの情報をより確実に早い段階で認識することができる。
【００６６】
ここで、挿入される光ディスクは一般的には、直径１２ｃｍの円形でできている。その他には、直径１２ｃｍの円に収まる形状で構成された異形光ディスクもあるが、円形を基本としているため、光ディスクを挿入される方向は３６０度、無作為に挿入される。このため、表面画像情報Ｄ６２を表示させた場合、無作為な方向、例えば上下逆さまに表示され、ディスク使用者が見にくくなることがあり得る。
【００６７】
そこで、制御部１０６は、読み取った光ディスク１０１の非データ面１０１ｂの画像を正しい向きで表示するために、二次元バーコード１０２を、非データ面１０１ｂのレーベル等の水平、垂直方向に合わせ配置する。これにより、読取部１１６は、二次元バーコード１０２の切り出しシンボル１０２ａ及びタイミングパターン１０２ｂに基づいて非データ面１０１ｂの向きを認識することができる。そして、制御部１０６は、その向きに基づいて画像の向きを補正し、補正した画像をディスク関連情報として外部表示部１１０へ表示する。
【００６８】
図７は、本発明の第１の実施形態に係るディスク装置における表示画像の補正の一例を説明する図であり、図７（Ａ）は補正前における表面画像情報Ｄ７１を示し、図７（Ｂ）は補正後の表面画像情報Ｄ７２を示す。図７（Ａ）、（Ｂ）から明らかのように、読み取った位置検出パターンにより画像の向きを補正して表示するので、外部表示部１１０に、使用者にとって表示内容を見やすく表示させることができる。
【００６９】
なお、ディスク関連情報として、音声情報が含まれている場合には、外部出力スピーカ１１７に出力してもよい。これにより、光ディスクを所定位置へ搬送されている状態で得られる音声情報を出力するので、使用者は、光ディスクの再生前に、音声にてディスクの紹介案内等のディスク関連情報を聞くことができるなど、再生を開始するまでの時間を有効に活用できる。
【００７０】
図３に戻り、ディスク装置の動作の説明を続行する。制御部１０６は、二次元バーコード１０２の読み込みに合わせて、搬送部１０５に光ディスク１０１を再生部１０７まで搬送指示し、保持部１０８にてディスクを保持し、光ピックアップを動作させ、再生する（ステップＳ２１０，Ｓ２１１）。
【００７１】
読取部１１６がディスク表面画像に二次元バーコード１０２が存在すると識別すると（ステップＳ２０６のＮＯ）、ディスク装置１００は、搬送部１０５にディスク搬送の停止を指示する（ステップＳ２１２）。二次元バーコード１０２が読み取られない場合は、光ディスク１０１が表裏を誤って挿入されている可能性があるので、光ディスク１０１の表裏を誤ったまま再生処理等へ進むことを防ぐことができる。
【００７２】
そして、制御部１０６は、ディスク使用者に警告するために外部表示部１１０に警告を表示する（ステップＳ２１３）と共に、撮像部１１４が読み取った画像情報を表示し、使用者に光ディスク１０１の表裏の判断を仰ぐ（ステップＳ２１４）。
【００７３】
図８は、本発明の第１の実施形態に係るディスク装置における二次元バーコード読み取り不可時の表示例を示す図である。図８に示すように、外部表示部１１０には、警告情報Ｄ８１と、表面画像情報Ｄ８２とが表示されている。これにより、使用者は、表面画像情報Ｄ８２を見ることで、光ディスク１０１が表裏を誤って挿入されているか否かを、光ディスク１０１をディスク装置から取り出すことなく容易に確認することができる。なお、警告情報は、外部出力スピーカ１１７から音声で通知してもよい。
【００７４】
ディスク使用者は、表示画像からディスクの表裏を確認し、光ディスク１０１が正しい位置で挿入されていた場合は、操作部１１１から例えば再生ボタン等の任意のボタンを押すことで、搬送再開指示を行う。制御部１０６は、操作部１１１の入力を監視し、操作部１１１から搬送再開指示が入力されると、搬送部１０５に搬送再開指示を行い、光ディスク１０１を再生装置１０７まで搬送する。そして、ディスク保持部１０８が動作し、再西武１０７が光ディスク１０１を再生する（ステップＳ２１５、Ｓ２１６）。
【００７５】
また、挿入された光ディスクが表裏逆であるとディスク使用者が判断した場合には、操作部１１１からＮＧボタンを押すことで、ディスク排出指示を行う。制御部１０６は、操作部１１１の入力を監視し、操作部１１１からディスク排出指示が入力されると、搬送部１０５にディスク排出指示を行い、搬送部１０５は搬送ローラー１１２を反転させる（ステップＳ２１７）。搬出されたディスクは挿入口１０３から排出され（ステップＳ２１８）、ディスク１０１が取り出されたことをディスク挿入検知センサ１０４が検知することで、ディスク装置１００を停止させる（ステップＳ２１９）。
【００７６】
このような本発明の第１の実施形態のディスク装置によれば、光ディスクを所定位置へ搬送されている状態で、光ディスクに付された二次元バーコード等の符号情報を読み取って復号化して出力することから、光ディスクが再生用に所定位置に保持される前の早いタイミングでディスク関連情報が取得できるので、挿入されたディスクの情報を早い段階で得ることができる。
【００７７】
（第２の実施形態）
図９は、本発明の第２の実施形態に係るディスク装置の機能構成を示すブロック図である。図９において、第１の実施形態で説明した図１と重複する部分については同一の符号を付す。
【００７８】
図９に示すように、本実施形態のディスク装置２００は、ディスク装置１００と比較して、復号関連情報記憶部の一例として機能する記憶部２０１を更に有し、制御部１０６の代わりに制御部１３１が設けられている。
【００７９】
上述したように、二次元バーコード１０２の記録容量としては、漢字では約２０００文字程度であるので、その容量には限りがある。そこで、本実施形態では、読み取った二次元バーコード１０２の復号情報に対応した復号関連情報を記憶する記憶部２０１を備えることにより、外部表示部１１０等に出力するディスク関連情報の情報量を拡大するものである。
【００８０】
制御部１３１は、ディスク識別装置１２０から二次元バーコード１０２の情報が読み取られると、その符号情報を復号し、記憶部２０１から復号情報に対応する復号関連情報を読み出して、ディスク関連情報として外部表示部１１０や外部出力スピーカ１１７等に出力する。
【００８１】
図１０は、本発明の第２の実施形態に係るディスク装置の動作手順を示すフローチャートである。図１０において、第１の実施形態で説明した図３と重複する部分については同一の符号を付す。
【００８２】
図１０に示すように、まず、記憶部２０１には、ディスクに追加したい大容量情報、例えば、ＣＤ−ＲＯＭなどのパッケージ印刷画像等が読み込み記憶される（ステップＳ３０１）。追加情報の入力方法については、図示しないパーソナルコンピュータなどから入出力インターフェースを経由してディスク装置１００に読み込む方法が設けられている。前記、追加情報が記憶された記憶部１１５の格納場所を示す位置情報と、光ディスク１０１に設けられた二次元バーコード１０２の情報をリンクさせて記憶する（ステップＳ３０２）。
【００８３】
そして、ステップＳ２０１〜Ｓ２０８を経て、二次元バーコード１０２の符号情報が復号されると、その復号情報を第一のディスク関連情報として外部表示部１１０に送信する（ステップＳ３０３）。
【００８４】
次に、制御部１３１は、二次元バーコード情報にリンクして記憶させた復号関連情報を記憶部２０１より読み出し（ステップＳ３０４）、この復号関連情報を外部表示部１１０に第二のディスク関連情報として表示させる（ステップＳ３０５）。二次元バーコード１０２がない場合については、第一の実施形態と同様となるため、省略とする（ステップＳ２１２〜Ｓ２１９）。
【００８５】
このような本発明の第２の実施形態によれば、復号情報に対応して復号関連情報を記憶する記憶部により、光ディスクに付された符号情報と関連した、より多くのディスク関連情報を取得することができる。
【００８６】
なお、一旦電源を切ったディスク装置２００において、記憶部２０１に、電源ＯＦＦまでに演奏していた曲の情報を記憶しておくことで、再度電源投入後に、ふたたび画像を表示することで、現在、ディスク装置に挿入されているディスクが何であるかを視覚で確認することができる。
【００８７】
（第３の実施形態）
図１１は、本発明の第３の実施形態に係るディスク装置の機能構成を示す図である。図１１において、第１の実施形態で説明した図１と重複する部分については同一の符号を付す。
【００８８】
図１１に示すように、本実施形態のディスク装置３００は、ディスク装置１００と比較して、外部記憶装置接続部の一例として機能する外部接続部３０１を更に有し、制御部１０６の代わりに制御部１４１が設けられている。
【００８９】
上述したように、二次元バーコード１０２の記録容量には限りがあるので、本実施形態では、読み取った二次元バーコード１０２の復号情報に対応した情報を外部サーバ１５０から取得することにより、外部表示部１１０等に出力するディスク関連情報の情報量を拡大するとともに、外部サーバ１５０の情報を更新することにより、二次元バーコード１０２自体の情報を変更することなく、ディスク関連情報に追加変更等の更新を行うものである。
【００９０】
外部接続部３０１には、外部記憶装置の一例として機能する外部サーバ１５０が接続されている。ここで、外部接続部３０１と外部サーバ１５０との間は、有線又は無線の通信回線を介して接続されている。
【００９１】
外部サーバ１５０には、二次元バーコード１０２の復号情報に対応した情報を記憶する。制御部１４１は、二次元バーコード１０２の復号情報を取得すると、外部サーバ１５０から、外部接続部３０１を介して復号情報に対応した情報を読み出して、ディスク関連情報として外部表示部１１０等に出力する。
【００９２】
図１２は、本発明の第３の実施形態に係るディスク装置の動作手順を示すフローチャートである。なお、図１２において、第１の実施形態で説明した図３と重複する部分については同一の符号を付す。
【００９３】
そして、ステップＳ２０１〜Ｓ２０８を経て、二次元バーコード１０２の符号情報が復号されると、制御部１４１は、復号情報を第一のディスク関連情報として外部表示部１１０に送信し表示する（ステップＳ２０９）。
【００９４】
また、制御部１４１は復号情報を、外部接続部３０１を介して外部記憶サーバ１５０に送信する（ステップＳ４０１）。外部記憶サーバ１５０は復号情報を元に、記憶された情報を検索しディスク装置３００に返信する（ステップＳ４０２）。制御部１４１は、外部記憶サーバ１５０から返信された情報を外部接続部３０１を介して受信すると、第二のディスク関連情報として外部表示部１１０等に出力すると共に、必要に応じて不図示の記憶部に記憶する（ステップ４０３）。
【００９５】
二次元バーコード１０２がない場合については、第一の実施形態と同様となるため、省略とする（ステップＳ２１２〜Ｓ２１９）。
【００９６】
このような本発明の第３の実施形態によれば、読み込んだ二次元バーコードから第一の情報を表示すると共に、併せて第二の情報を外部記憶サーバから入手することで、ディスク使用者が情報を記憶させるための手間を少なくすることができるという効果を有する。さらに、外部記憶サーバ１５０から入手した情報を記憶部に記憶することで次回、表示する時間を短縮できる。また外部記憶サーバ１５０に記憶する光ディスクに関連した情報については、情報の提供者が外部サーバ１５０の情報を更新することで常に新しい情報を提供することができる。また、外部記憶サーバ１５０にディスクに関連した商業情報を記憶させることで、ディスク使用者に特定した商業情報を送信することができるので効果的な宣伝活動ができるという効果を有する。なお、外部記憶サーバ１５０については、特定の情報提供者だけではなく所謂インターネットからも情報を入手できるので、多種多様な情報を表示できる。
【００９７】
なお、上述の第１〜第３の実施形態では、撮像部１１４の一例として、スキャナを説明したが、他の構成でも良い。図１３は、本発明の第１〜第３の実施形態に係るディスク装置における撮像部の他の例を示す図である。図１３において、図１と重複する部分については同一の符号を付す。
【００９８】
図１３に示すように、ディスク装置１６０は、ディスク装置１００と比較して、撮像部１１４の代わりに撮像部１６１を備える。撮像部１６１は、複数のカメラ１６２を並べて配置し、搬送される光ディスク１０１表面を動画像にて撮影する。
【００９９】
撮像部１６１は、挿入された光ディスクをカメラ１６２で直接撮影する構造を示すものである。挿入された光ディスク１０１は搬送ローラー１１２で搬送されるものであり、読み取る画面を動画像にて読み取り、読み取った画像を読取部１１６にて二次元バーコードを読み取るものである。
【０１００】
このような構成によれば、撮像部を構成するセンサや鏡などの機構部品を少なくすることで撮像部の厚みを小さくすることができ、ディスク装置筐体を薄くすることができる。
【０１０１】
また、第１〜第３の実施形態では、二次元バーコード１０２が光ディスク１０１の非データ面１０１ｂに印刷された場合について説明したが、二次元バーコード１０２が非データ面１０１ｂに付される形態は印刷に限られるものではない。
【０１０２】
図１４は本発明の第１〜第３の実施形態に係るディスク装置に用いられる光ディスクの第二例を示す外観図、図１５は本発明の実施形態に係るディスク装置に用いられる光ディスクの第二例を示す断面図である。
【０１０３】
図１４及び図１５に示すように、光ディスク１７０に設けられたレーベル面印刷１７１を赤外線１８２が透過するインクで印刷し、レーベル面印刷の下に二次元バーコード１７２を赤外線１８２が反射するインクにて印刷し、撮像部１１４又は１６１の照明を赤外線が照射可能な照明とすることで、読み取り時に、レーベル印刷下の二次元バーコードを分離して読み取ることで、光ディスクのレーベル面デザイン性を損なわない光ディスクを提供するものである。
【０１０４】
光ディスク１７０に設けられたレーベル面印刷１７１が施されているものがある。印刷は、図示しないインクにてディスク内容を示す文字や画像、基準マークなどが印刷されている。二次元バーコードは白と黒で構成された情報マークのため、光ディスク表面に印刷した場合にデザイン性を損ねる場合がある。
【０１０５】
そこで、光ディスク基材１７３上に赤外線を反射するインクで二次元バーコード１７２を印刷し、二次元バーコード１７２を覆うように赤外線１８２を透過するインクでレーベルを印刷する。そして、ディスク識別装置２００の照明部は、可視光線１８１と赤外線１８２を照射し、レーベル面は可視光線成分を抽出した画像を合成して外部表示部１１０に表示するとともに、レーベル下に設けられた人間の目では見ることができない二次元バーコードについては、赤外線で反射した部分を二次元バーコードの黒部分となる画像変換を行い赤外線が吸収される部分を白地となる画像変換を行うことで二次元バーコードとして識別することができる。
【０１０６】
このような光ディスクによれば、光ディスクのレーベル面デザインを損なわずに二次元バーコードを配置できるという効果を有する。なお、印刷されるインクの順番を上下逆する場合は、濃い色素で印刷された部分に赤外線を反射する二次元バーコードを印刷することで、レーベル面デザインへの影響を少なくできる。また、本発明は、透過する光を赤外線だけではなく紫外線なども利用可能である。
【０１０７】
図１６は、本発明の第１〜第３の実施形態に係るディスク装置に用いられる光ディスクの第三例を示す外観図である。
【０１０８】
図１６に示すように、この例の光ディスクの非データ面には、二次元バーコードが印字された、再剥離可能なシールラベル１９１が貼り付けられている。
【０１０９】
再剥離可能なシールラベル１９１を用いることにより、光ディスクに付す二次元バーコード情報を書き換えが可能となる。このシールラベル１９１は、例えばパーソナルコンピュータなどで作成可能であり、図示しないバーコード印刷機を使用し再剥離可能なシールラベル印刷することで、使用者は取得可能である。なお、シールラベル１９１は、光ディスクレーベル印刷面の水平垂直方向に合わせて貼付されることが望ましい。また、使用者の好みの向きに貼付し、外部表示部１１０から表示するレーベル印刷面の向きを調整してもよい。
【０１１０】
（第４の実施形態）
図１７は、本発明の第４の実施形態に係るディスク装置の内部構成を示す図、図１８は、本発明の第４の実施形態に係るディスク装置の機能構成を示すブロック図である。また、図１９は、本発明の第４の実施形態に係るディスク装置に用いられる光ディスクを示す外観図である。図１７及び図１８において、第１の実施形態で説明した図１と重複する部分については同一の符号を付す。
【０１１１】
第１〜第３の実施形態では、光ディスクに付す符号情報の一例として、二次元バーコード等、光学的に読取可能な符号情報を示した。第４の実施形態では、光ディスクに付す符号情報として、光学的に読取可能な符号情報の代わりに、非接触通信等の無線通信で読取可能な情報を用いた場合を示す。
【０１１２】
図１９に示すように、本実施形態のディスク装置に用いられる光ディスク４１０の非データ面４１１には、ＩＣタグ４１３が貼付されている。ＩＣタグ４１３は、無線通信を用いて記憶している符号情報を読み出し可能な記憶媒体の一例として機能するものである。ＩＣタグ４１３は、物体の識別等に利用される微小な無線ＩＣ（Integrated Circuit）チップであり、自身の識別コードなどの情報を格納することが可能である。また、ＩＣタグ４１３は、電波や磁界を使って、非接触通信方式等の無線通信方式を用いた無線通信装置との間で通信する機能を有する。
【０１１３】
また、図１９に示すように、光ディスク４１０の非データ面４１１の表面には、金属膜などのシールド部材４１２が施されている。そして、ＩＣタグ４１３は、シールド部材４１２上に設けられている。これにより、ＩＣタグ４１３から送信される符号情報は、光ディスクの非データ面４１１側のみに送信される。すなわち、ＩＣタグ４１３の通信が指向性を有することとなる。
【０１１４】
次に、本実施形態のディスク装置４００の構成について説明する。図１７及び図１８に示すように、本実施形態のディスク装置４００は、ディスク装置１００と比較して、撮像部１１４、記憶部１１５及び読取部１１６を有するディスク識別装置１２０の代わりに、ＩＣタグリーダ４０１，４０２を有するディスク識別装置４２０が設けられている。また、制御部１０６の代わりに制御部４０３が設けられている。
【０１１５】
ここで、ディスク識別装置４２０及び制御部４０３は、符号情報読取部の一例として機能する。また、制御部４０３は、復号部及びディスク情報出力部の一例として機能する。
【０１１６】
図１７に示すように、ＩＣタグリーダ４０１，４０２は、挿入された光ディスクのデータ面及び非データ面に対向するようにディスク挿入部の上下に組み込まれ、搬送された光ディスク４１０上に設けたＩＣタグ４１３に格納された符号情報を読み出す。なお、ＩＣタグリーダ４０１は、挿入口１０３に正規の向きで挿入された光ディスクの非データ面に対向する位置に、ＩＣタグリーダ４０２は挿入口１０３に正規の向きで挿入された光ディスクのデータ面に対向する位置に設けられる。
【０１１７】
ここで、図１９を用いて説明したように、ＩＣタグ４１３は、光ディスク４１０表面の非データ面４１１側に施された金属膜などのシールド部材４１２上に配置されている。すなわち、ＩＣタグ４１３からの電波はシールド部材４１２に阻まれて非データ面４１１側のみに送信される指向性を持つ。
【０１１８】
したがって、ディスク装置４００に光ディスク４１０が挿入され、ディスク装置４００に設けられたＩＣタグリーダ４０２がＩＣタグ情報を受信した場合、制御部４１３は、光ディスクが裏返しで挿入されたと判断し、外部表示部１１０や外部出力スピーカ１１７から使用者に警告を与えるとともに、光ディスクの搬送を停止し、搬送ローラー１１２を逆転させて光ディスク４１０を搬出する。
【０１１９】
また、ディスク装置４００に光ディスク４１０が挿入され、ＩＣタグリーダ４０１がＩＣタグ情報を受信した場合、制御部４１３は、光ディスク４１０が正規な位置に挿入されたと判断し、ＩＣタグリーダ４０１がＩＣタグ４１３から読み出した符号情報を復号し、外部表示部１１０に表示する。
【０１２０】
このような本発明の第４の実施形態によれば、光ディスクが所定位置へ搬送されている状態で、光ディスク面からのＩＣタグ等の記憶媒体から送信された情報を受信することで、光ディスクが再生用に所定位置に保持される前の早いタイミングで光ディスク情報を取得できる。
【産業上の利用可能性】
【０１２１】
本発明のディスク装置は、挿入された光ディスクを迅速に識別することが可能な効果を有し、音楽や映像を再生することができる、ディスク再生装置等に有用である。
【図面の簡単な説明】
【０１２２】
【図１】本発明の第１の実施形態に係るディスク装置の内部構成を示す図
【図２】本発明の第１の実施形態に係るディスク装置の機能構成を示すブロック図
【図３】本発明の第１の実施形態に係るディスク装置の動作手順を示すフローチャート
【図４】本発明の第１〜第３の実施形態に係るディスク装置に用いられる光ディスクの第一例を示す外観図
【図５】二次元バーコードを説明する図
【図６】本発明の第１の実施形態に係るディスク装置の正面方向の外観及び外部表示部による表示例を示す図
【図７】本発明の第１の実施形態に係るディスク装置における表示画像の補正の一例を説明する図
【図８】本発明の第１の実施形態に係るディスク装置における二次元バーコード読み取り不可時の表示例を示す図
【図９】本発明の第２の実施形態に係るディスク装置の機能構成を示すブロック図
【図１０】本発明の第２の実施形態に係るディスク装置の動作手順を示すフローチャート
【図１１】本発明の第３の実施形態に係るディスク装置の機能構成を示す図
【図１２】本発明の第３の実施形態に係るディスク装置の動作手順を示すフローチャート
【図１３】本発明の第１〜第３の実施形態に係るディスク装置における撮像部の他の例を示す図
【図１４】本発明の第１〜第３の実施形態に係るディスク装置に用いられる光ディスクの第二例を示す外観図
【図１５】本発明の第１〜第３の実施形態に係るディスク装置に用いられる光ディスクの第二例を示す断面図
【図１６】本発明の第１〜第３の実施形態に係るディスク装置に用いられる光ディスクの第三例を示す外観図
【図１７】本発明の第４の実施形態に係るディスク装置の内部構成を示す図
【図１８】本発明の第４の実施形態に係るディスク装置の機能構成を示すブロック図
【図１９】本発明の第４の実施形態に係るディスク装置に用いられる光ディスクを示す外観図
【符号の説明】
【０１２３】
１００，１６０，２００，３００，４００  ディスク装置
１０１，１７０，４１０  光ディスク
１０１ａ，１７１  データ面
１０１ｂ，４１１  非データ面
１０１ｃ  ピット
１０２，１７２  二次元バーコード
１０２ａ  切り出しシンボル
１０２ｂ  タイミングパターン
１０２ｃ  フォーマット情報
１０２ｄ  データセル
１０３  挿入口
１０４  ディスク検出センサ
１０５  搬送部
１０６，１３１，１４１，４０３  制御部
１０７  再生部
１０８  ディスク保持部
１０９  光ピックアップ
１１０  外部表示部
１１１  操作部
１１２  搬送ローラー
１１３  照明部
１１４，１６１  撮像部
１１４ａ  リニアイメージセンサ
１１４ｂ  レンズ
１１４ｃ  鏡
１１５  記憶部
１１６  読取部
１１７  外部出力スピーカ
１２０，４２０  ディスク識別装置
１５０  外部記憶サーバ
１６２  カメラ
１７３  光ディスク基材
１８１  可視光線
１８２  赤外線
１９１  シールラベル
２０１  記憶部
３０１  外部接続部
４０１，４０２  タグリーダ
４１２  シールド部材
４１３  ＩＣタグ
【図１】
2007213679.tif 000003
【図２】
2007213679.tif 000004
【図３】
2007213679.tif 000005
【図４】
2007213679.tif 000006
【図５】
2007213679.tif 000007
【図６】
2007213679.tif 000008
【図７】
2007213679.tif 000009
【図８】
2007213679.tif 000010
【図９】
2007213679.tif 000011
【図１０】
2007213679.tif 000012
【図１１】
2007213679.tif 000013
【図１２】
2007213679.tif 000014
【図１３】
2007213679.tif 000015
【図１４】
2007213679.tif 000016
【図１５】
2007213679.tif 000017
【図１６】
2007213679.tif 000018
【図１７】
2007213679.tif 000019
【図１８】
2007213679.tif 000020
【図１９】
2007213679.tif 000021